(57)【要約】【課題】各プライベートスペースの窓の大きさに差が無く、また、隣棟窓との正対を避けプライバシーが確保しやすい療養施設を得ること。【解決手段】廊下に面する廊下仕切壁と、廊下仕切壁の左右からそれぞれ略直角に外壁側へ延在する左右の仕切壁と、左右の仕切壁の外壁側端部からそれぞれ左右略４５°傾斜方向に曲折して延在する左右の傾斜壁と、左右の傾斜壁の外壁側端部からそれぞれ略直角に曲折して外方へ延在する左右の第１外壁と、左右の第１外壁の外端部からそれぞれ略直角に曲折して内方へ延在する左右の第２外壁と、左右の第２外壁の内端部からそれぞれ略直角に曲折して外方へ延在する左右の第３外壁と、左右の第３外壁の外端部からそれぞれ略直角に曲折して内方へ延在し療養施設の左右中央部で互いに接続する左右の第４外壁と、で仕切られ、左第１外壁、右第２外壁、左第３外壁及び右第４外壁に第１の窓を設けた。【選択図】        図１
2006161395.tif 000002
【特許請求の範囲】
【請求項１】
廊下側にパブリックゾーン又はエントランスゾーンを、外壁側にプライベートゾーンを有する療養施設において、
廊下とパブリックゾーン又はエントランスゾーンとに面し、出入口を有する廊下仕切壁と、
該廊下仕切壁の左右からそれぞれ略直角に前記外壁側へ延在しパブリックゾーン又はエントランスゾーンに面する左仕切壁及び右仕切壁と、
該左右の仕切壁の外壁側端部からそれぞれ左右略４５°傾斜方向に互いに遠ざかるように曲折して前記外壁側へ延在しプライベートゾーンに面する左傾斜壁及び右傾斜壁と、
該左右の傾斜壁の外壁側端部からそれぞれ略直角に曲折して互いに近づくように前記療養施設の外方へ延在する左第１外壁及び右第１外壁と、
該左右の第１外壁の外端部からそれぞれ略直角に曲折して互いに近づくように前記療養施設の内方へ延在する左第２外壁及び右第２外壁と、
該左右の第２外壁の内端部からそれぞれ略直角に曲折して互いに近づくように前記療養施設の外方へ延在する左第３外壁及び右第３外壁と、
該左右の第３外壁の外端部からそれぞれ略直角に曲折して互いに近づくように前記療養施設の内方へ延在し該療養施設の左右中央部で互いに接続する左第４外壁及び右第４外壁と、で仕切られ、
前記左第１外壁、右第２外壁、左第３外壁及び右第４外壁に第１の窓を設けたことを特徴とする療養施設。
【請求項２】
前記第１の窓をそれぞれ左第２外壁、右第１外壁、左第４外壁及び右第３外壁まで延在させて第２の窓とし、該第２の窓は前記第１の窓より幅を狭くしたことを特徴とする請求項１に記載の療養施設。
【請求項３】
南向きであることを特徴とする請求項１又は２に記載の療養施設。
【請求項４】
前記左右の傾斜壁にそれぞれ近接させ、頭部を前記外壁側にして配置した左第１ベッド及び右第１ベッドと、
頭部を前記外壁側とし、該頭部左角部を前記左第２外壁の内端部に近接させ前記左第１ベッドと平行に配置した左第２ベッドと、
頭部を外壁側とし、該頭部右角部を前記右第２外壁の内端部に近接させ前記右第１ベッドと平行に配置した右第２ベッドと、
を備えたことを特徴とする請求項１〜３のいずれか一つに記載の療養施設。
【請求項５】
前記左第２外壁の内端部、前記左第４外壁の内端部及び前記右第３外壁の内端部のそれぞれから前記左傾斜仕切壁に平行に前記プライベートゾーンの前記廊下側端部まで延在する３枚の簡易仕切壁を設け、前記左第２ベッド、前記右第２ベッド及び右第１ベッドをそれぞれ前記３枚の簡易仕切壁に近接させて配置したことを特徴とする請求項１〜３のいずれか一つに記載の療養施設。
【請求項６】
前記３枚の簡易仕切壁を恒久仕切壁に変更し、該３枚の恒久仕切壁の前記廊下側端部からそれぞれ前記廊下仕切壁まで延在し前記エントランスゾーンを仕切る３枚のエントランス恒久仕切壁を設け、前記療養施設を個室化したことを特徴とする請求項５に記載の療養施設。
【請求項７】
前記左右の仕切壁及び前記左右の傾斜壁と、前記療養施設の左右に隣接する療養施設のそれぞれ右左の仕切壁及び右左の傾斜壁との間に画定される野球のホームベース形のスペースをトイレスペース又は私物庫としたことを特徴とする請求項１〜６のいずれか一つに記載の療養施設。
【発明の詳細な説明】
【技術分野】
【０００１】
本発明は、老人保健施設、介護施設及び病院等の療養室（以下、「療養施設」という。）に関するものである。
【背景技術】
【０００２】
従来の老人保健施設、病院等の個室的環境の４床療養施設として、療養室全体が平面視で凸型形状になっていて、パブリックスペース及び第１のプライベートスペースと、第１のプライベートスペースに対して段部を有して突出する第２のプライベートスペースと、第１のプライベートスペースおよび第２のプライベートスペースの段部に設けられる４つの窓と、各窓に近接して配置されるベッドとを備え、パブリックスペースが廊下側に配置されたものがある（例えば、特許文献１参照）。
【０００３】
【特許文献１】特開平７−２５９３５９号公報（第２頁、図１）
【発明の開示】
【発明が解決しようとする課題】
【０００４】
しかしながら、上記従来の療養施設では、第１のプライベートスペースと第２のプライベートスペースとで窓の大きさに差があるという問題点があった。また、窓が隣棟窓と正対しプライバシーが確保しにくいという問題点があった。
【０００５】
本発明は、上記に鑑みてなされたものであって、各プライベートスペースの窓の大きさに差が無く、また、隣棟窓との正対を避けプライバシーが確保しやすい療養施設を得ることを目的とする。
【課題を解決するための手段】
【０００６】
上述した課題を解決し、目的を達成するために、本発明の療養施設は、廊下側にパブリックゾーン又はエントランスゾーンを、外壁側にプライベートゾーンを有する療養施設において、廊下とパブリックゾーン又はエントランスゾーンとに面し、出入口を有する廊下仕切壁と、該廊下仕切壁の左右からそれぞれ略直角に前記外壁側へ延在しパブリックゾーン又はエントランスゾーンに面する左仕切壁及び右仕切壁と、該左右の仕切壁の外壁側端部からそれぞれ左右略４５°傾斜方向に互いに遠ざかるように曲折して前記外壁側へ延在しプライベートゾーンに面する左傾斜壁及び右傾斜壁と、該左右の傾斜壁の外壁側端部からそれぞれ略直角に曲折して互いに近づくように前記療養施設の外方へ延在する左第１外壁及び右第１外壁と、該左右の第１外壁の外端部からそれぞれ略直角に曲折して互いに近づくように前記療養施設の内方へ延在する左第２外壁及び右第２外壁と、該左右の第２外壁の内端部からそれぞれ略直角に曲折して互いに近づくように前記療養施設の外方へ延在する左第３外壁及び右第３外壁と、該左右の第３外壁の外端部からそれぞれ略直角に曲折して互いに近づくように前記療養施設の内方へ延在し該療養施設の左右中央部で互いに接続する左第４外壁及び右第４外壁と、で仕切られ、前記左第１外壁、右第２外壁、左第３外壁及び右第４外壁に第１の窓を設けたことを特徴とする。
【発明の効果】
【０００７】
本発明に係る療養施設は、プライバシーを確保しながら平等に各プライベートゾーンからの外部への眺望を確保でき、また、療養施設の奥行きを狭くすることができるため、療養施設の採光が廊下にも届き廊下が明るくなるという効果を奏する。
【発明を実施するための最良の形態】
【０００８】
以下に、本発明に係る療養施設の実施例を図面に基づいて詳細に説明する。なお、この実施例によりこの発明が限定されるものではない。
【実施例１】
【０００９】
図１は、本発明に係る療養施設の実施例１を示す平面図である。
【００１０】
療養棟１００は、複数階フロアの各フロアに、廊下１に面して、４床の療養施設２と、トイレスペース又は私物庫３とを備えた療養施設ブロック４を左右に複数連ねた構造となっている。療養棟１００は、廊下１の両側に療養施設ブロック４を配置する構造としてもよい。
【００１１】
療養施設２は、廊下１側に位置する左右に細長い矩形のパブリックゾーン５と、外壁側（窓側）に位置し、左右に「ハ」の字型にベッドを４床並べることができる左右に長いプライベートゾーン６とを有している。
【００１２】
療養施設２は、廊下１とパブリックゾーン５とに面する廊下仕切壁１０により廊下１と仕切られている。廊下仕切壁１０は、引戸２０を備えた中央出入口２１と、パブリックゾーン５の左隅の左出入口２２ａと、パブリックゾーン右隅の右出入口２２ｂとを有している。
【００１３】
廊下仕切壁１０の左右の出入口２２ａ、２２ｂの端部からそれぞれ略直角に外壁側へ左仕切壁１１ａ及び右仕切壁１１ｂが延在している。左右の仕切壁１１ａ、１１ｂ間の距離は、約８ｍであり、左右の仕切壁１１ａ、１１ｂの幅は、プライベートゾーン５の奥行と同じで約１．４ｍである。左右幅約８ｍ、奥行約１．４ｍの左右に細長い矩形のパブリックゾーン５の３面が廊下仕切壁１０及び左右の仕切壁１１ａ、１１ｂにより仕切られている。
【００１４】
左右の仕切壁１１ａ、１１ｂの外壁側端部２３ａ、２３ｂからそれぞれ左右略４５°傾斜方向に互いに遠ざかるように曲折して外壁側へ略ベッド長さ分の幅の左傾斜壁１２ａ及び右傾斜壁１２ｂが延在し、左右の傾斜壁１２ａ、１２ｂは、プライベートゾーン６に面している。左右の傾斜壁１２ａ、１２ｂの外壁側端部２４ａ、２４ｂは、それぞれ療養棟１００の複数階に通した柱２５に接続されている。
【００１５】
左右の傾斜壁１２ａ、１２ｂの外壁側端部２４ａ、２４ｂの柱２５から、それぞれ傾斜壁１２ａ、１２ｂと略直角方向に曲折して互いに近づくように療養施設２の外方へ、看護スペースを含むベッド幅分の約２ｍ、左第１外壁１３ａ及び右第１外壁１３ｂが延在している。
【００１６】
左右の第１外壁１３ａ、１３ｂの外端部２６ａ、２６ｂからそれぞれ第１外壁１３ａ、１３ｂと略直角方向に曲折して互いに近づくように療養施設２の内方へ、幅約２ｍの左第２外壁１４ａ及び右第２外壁１４ｂが延在している。左右の第２外壁１４ａ、１４ｂの内端部２７ａ、２７ｂは、それぞれ幅の狭い平外壁２８に接続されている。平外壁２８の無い外壁構造としてもよい。
【００１７】
左右の第２外壁１４ａ、１４ｂの内端部２７ａ、２７ｂの平外壁２８から、それぞれ第２外壁１４ａ、１４ｂと略直角方向に曲折して互いに近づくように療養施設２の外方へ、看護スペースを含むベッド幅分の約２ｍ、左第３外壁１５ａ及び右第３外壁１５ｂが延在している。
【００１８】
左右の第３外壁１５ａ、１５ｂの外端部２９ａ、２９ｂからそれぞれ第３外壁１５ａ、１５ｂと略直角方向に曲折して互いに近づくように療養施設２の内方へ、幅約２ｍの左第４外壁１６ａ及び右第４外壁１６ｂが延在している。左右の第４外壁１６ａ、１６ｂ内端部は、療養施設２の左右中央部で柱３０を介して互いに接続されている。療養棟１００をコンクリート壁体構造等で建築すれば、柱２５、３０は不要である。
【００１９】
以上説明したように、療養施設２は、廊下仕切壁１０と、左右の仕切壁１１ａ、１１ｂと、左右の傾斜壁１２ａ、１２ｂと、左右の第１外壁１３ａ，１３ｂと、左右の第２外壁１４ａ、１４ｂと、左右の第３外壁１５ａ、１５ｂと、左右の第４外壁１６ａ、１６ｂとで仕切られて形成されている。図１に示されるように、療養施設２の外壁は、左右の第１、第２、第３、第４の外壁により、平面視で鋸の歯のような凹凸状に形成されている。
【００２０】
左第１外壁１３ａ、右第２外壁１４ｂ、左第３外壁１５ａ及び右第４外壁１６ｂには、略壁面全面に亘る第１の窓３１が設けられている。
【００２１】
また、第１の窓３１をそれぞれ左第２外壁１４ａ、右第１外壁１３ｂ、左第４外壁１６ａ及び右第３外壁１５ｂにまで延在させて第２の窓３２を形成し、第２の窓３２は、第１の窓３１より幅を狭くしている。また、療養棟１００は、療養施設２を南向きとして建設するのがよい。
【００２２】
左右の第１外壁１３ａ，１３ｂ及び左右の第３外壁１５ａ、１５ｂに対面させてそれぞれ机４０及び椅子４１を配置し、左右の傾斜壁１２ａ、１２ｂにそれぞれ近接させ頭部を外壁側にして左第１ベッド４２ａ及び右第１ベッド４２ｂを配置する。また、頭部を外壁側とし、頭部左角部を左第２外壁１４ａの内端部２７ａに近接させて左第２ベッド４３ａを左第１ベッド４２ａと平行に配置する。また、頭部を外壁側とし、頭部右角部を右第２外壁の内端部２７ｂに近接させて右第２ベッド４３ｂを右第１ベッド４２ｂと平行に配置する。
【００２３】
プライベートゾーン６は、図１の破線で示すカーテン４７により、４つのプライベートスペースに仕切ることができるようになっている。パブリックゾーン５の左方には応接セット４４を配置し、右方には長いソファー４５、ソファー４６及びテレビ４７等を配置することができる。
【００２４】
左右の仕切壁１１ａ、１１ｂ及び左右の傾斜壁１２ａ，１２ｂと、療養施設２の左右に隣接する療養施設２のそれぞれ右左の仕切壁１１ｂ、１１ａ及び右左の傾斜壁１２ｂ、１２ａとの間に画定される野球のホームベース形のスペース３は、２つに分割し、１つはトイレスペースに、もう１つは私物庫等に活用することができる。
【００２５】
以上説明した実施例１の療養施設２によれば、第１の窓３１が略４５°左方に向いているので、隣棟窓と正対を避け、プライバシーを守りながら各ベッドから平等に外部への眺望を確保することができ、また、療養施設２の奥行きが狭いため、療養施設２の採光が廊下１にも届き廊下１が明るくなるという効果を奏する。また、第１の窓３１際に机４０及び椅子４１を配置し窓際にプライベートな空間を創出することができる。
【００２６】
また、第２の窓３２は、第１の窓３１より幅を狭くしているので、プライバシーを守るとともに療養棟１００が南向きであるとき療養施設２内への西日の入射を防ぐことができる。また、プライベートゾーン６に、左右に「ハ」の字型にベッドを４床並べているので、パブリックゾーン５の中央に看護師等が立つことにより、１箇所から４人を観察することが可能である。
【実施例２】
【００２７】
図２は、本発明に係る療養施設の実施例２を示す平面図である。図２において、図１に示すものと同等のものには同一の符号を付し、その詳細な説明を省略する。
【００２８】
実施例２の療養施設２０２は、廊下１側に位置する左右に細長い略矩形のパブリックゾーン５と、外壁側に位置し、左側に略４５°傾斜させてベッドを４床並べることができるプライベートゾーン２０６とを有している。
【００２９】
療養施設２０２は、廊下１とパブリックゾーン５とに面する廊下仕切壁１０により廊下１と仕切られている。廊下仕切壁１０は、引戸２０を備え、室中央より左方に設けた中央出入口２１と、パブリックゾーン５の左隅の左出入口２２ａと、パブリックゾーン５右隅の右出入口２２ｂとを有している。
【００３０】
廊下仕切壁１０の左右の出入口２２ａ、２２ｂの端部からそれぞれ略直角に外壁側へ左仕切壁２１１ａ及び右仕切壁２１１ｂが延在している。左右の仕切壁２１１ａ、２１１ｂ間の距離は、約８ｍである。左右の仕切壁２１１ａ、２１１ｂの幅は約１ｍであり、パブリックゾーン５の奥行き略１．４ｍよりも短くなっている。
【００３１】
左仕切壁２１１ａの外壁側端部２２３ａから左略４５°傾斜方向に曲折して外壁側へベッド長さ分よりも略１ｍ長い左傾斜壁２１２ａが延在し、右仕切壁２１１ｂの外壁側端部２２３ｂから右略４５°傾斜方向に曲折して外壁側へ看護スペースを含むベッド幅分の略２ｍの長さの右傾斜壁２１２ｂが延在している。左の傾斜壁２１２ａの外壁側端部２４ａは、療養棟１００の複数階に通した柱２５に接続されている。右傾斜壁２１２ｂの外壁側端部２２４ｂは、実施例１の右第１外壁１３ｂが柱２５接続部２４ｂから廊下側に延長された延長壁２１３ｂに接続されている。
【００３２】
左右の傾斜壁２１２ａ、２１２ｂの外壁側端部２４ａ、２２４ｂから、それぞれ傾斜壁２１２ａ、２１２ｂと略直角方向に曲折して互いに近づくように療養施設２０２の外方へ、左第１外壁１３ａ、及び延長壁２１３ｂを有する右第１外壁１３ｂが延在している。
【００３３】
以上説明した部分以外の実施例２の療養施設２０２の外壁構造及び窓構造は、実施例１の療養施設２の外壁構造及び窓構造と同等であり説明を省略する。
【００３４】
左第２外壁１４ａの内端部２７ａ、左第４外壁１６ａの内端部（柱３０）及び右第３外壁１５ｂの内端部２７ｂのそれぞれから左傾斜壁２１２ａに平行にプライベートゾーン２０６の廊下側端部まで延在する３枚の簡易仕切壁２５０を設ける。左第１外壁１３ａ，左第３外壁１５ａ、右第４外壁１６ｂ及び右第２外壁１４ｂに対面させてそれぞれ机４０及び椅子４１を配置する。
【００３５】
左傾斜壁２１２ａに近接させ頭部を外壁側にして左第１ベッド４２ａを配置する。また、３枚の簡易仕切壁２５０にそれぞれ近接させ頭部を外壁側にして左第２ベッド４３ａ、右第２ベッド４３ｂ及び右第１ベッド４２ｂを配置する。
【００３６】
パブリックゾーン５の左方には応接セット２４４を配置し、右方には長いソファー４５等を配置することができる。
【００３７】
左右の仕切壁２１１ａ、２１１ｂ及び左右の傾斜壁２１２ａ，２１２ｂと、療養施設２０２の左右に隣接する療養施設２０２のそれぞれ右左の仕切壁２１１ｂ、２１１ａ及び右左の傾斜壁２１２ｂ、２１２ａとの間に画定される略野球のホームベース形のスペース２０３は、トイレスペースに活用することができる。
【００３８】
以上説明した実施例２の療養施設２０２によれば、第１の窓３１が略４５°左方に向いているので、隣棟窓と正対を避け、プライバシーを守りながら各プライベートスペースから平等に外部への眺望を確保することができ、また、療養施設２０２の奥行きが狭いため、療養施設２０２の採光が廊下１にも届き廊下１が明るくなるという効果を奏する。また、第１の窓３１際に机４０及び椅子４１を配置し窓際に私的な空間を創出することができる。
【００３９】
また、第２の窓３２は、第１の窓３１より幅を狭くしているので、プライバシーを守るとともに療養棟１００が南向きであるとき療養施設２０２内への西日の入射を防ぐことができる。さらに、プライベートゾーン２０６に３枚の簡易仕切壁２５０を設けたので、４床室でありながら個室的な環境が得られる。
【実施例３】
【００４０】
図３は、本発明に係る療養施設の実施例３を示す平面図である。図３において、図１、２に示すものと同等のものには同一の符号を付し、その詳細な説明を省略する。
【００４１】
実施例３の療養施設３０２は、廊下１側に位置する各室のエントランスゾーン３０５と、外壁側に位置し、左側に略４５°傾斜させてベッドを配置した４つの個室とを備えている。
【００４２】
療養施設３０２は、廊下１とエントランスゾーン３０５とに面する廊下仕切壁１０により廊下１と仕切られている。廊下仕切壁１０は、両開き戸３２０を備える４つの出入口３２１を有している。
【００４３】
廊下仕切壁１０の左端及び右端の出入口３２１の端部からそれぞれ略直角に外壁側に左仕切壁２１１ａ及び右仕切壁２１１ｂが延在している。左右の仕切壁２１１ａ、２１１ｂ間の距離は、約８ｍである。左右の仕切壁２１１ａ、２１１ｂの幅は約１ｍである。
【００４４】
以上説明した部分以外の実施例３の療養施設３０２の壁構造及び窓構造は、実施例２の療養施設２０２の壁構造及び窓構造と同等であり説明を省略する。
【００４５】
左第２外壁１４ａの内端部２７ａ、左第４外壁１６ａの内端部（柱３０）及び右第３外壁１５ｂの内端部２７ｂのそれぞれから左傾斜壁２１２ａに平行に実施例２の療養施設２０２のプライベートゾーン２０６の廊下側端部に相当する位置まで延在する３枚の恒久仕切壁３５０を設ける。すなわち、実施例２の３枚の簡易仕切壁２５０をそれぞれ恒久仕切壁３５０に変更する。また、３枚の恒久仕切壁の廊下側端部から廊下仕切壁１０まで延在しエントランスゾーン３０５を仕切る３枚のエントランス恒久仕切壁３５１を設け療養施設３０２を個室化する。
【００４６】
左第１外壁１３ａ，左第３外壁１５ａ、右第４外壁１６ｂ及び右第２外壁１４ｂに対面させてそれぞれ机４０及び椅子４１を配置する。左傾斜壁２１２ａに近接させ頭部を外壁側にして左第１ベッド４２ａを配置する。また、３枚の恒久仕切壁３５０にそれぞれ近接させ頭部を外壁側にして左第２ベッド４３ａ、右第２ベッド４３ｂ及び右第１ベッド４２ｂを配置する。図３の破線で示す部分には、ロッカー４８を設置することができる。
【００４７】
左右の仕切壁２１１ａ、２１１ｂ及び左右の傾斜壁２１２ａ，２１２ｂと、療養施設３０２の左右に隣接する療養施設３０２のそれぞれ右左の仕切壁２１１ｂ、２１１ａ及び右左の傾斜壁２１２ｂ、２１２ａとの間に画定される略野球のホームベース形のスペース２０３は、トイレスペースに活用することができる。
【００４８】
以上説明した実施例３の療養施設３０２によれば、第１の窓３１が略４５°左方に向いているので、隣棟窓と正対を避け、プライバシーを守りながら各プライベートスペースから平等に外部への眺望を確保することができるという効果を奏する。また、第１の窓３１際に机４０及び椅子４１を配置し窓際にプライベートな空間を創出することができる。
【００４９】
また、第２の窓３２は、第１の窓３１より幅を狭くしているので、プライバシーを守るとともに療養棟１００が南向きであるとき療養施設３０２内への西日の入射を防ぐことができる。さらに、３組の恒久仕切壁３５０、３５１を設けたので、療養施設３０２は個室となる。
【産業上の利用可能性】
【００５０】
以上のように、本発明にかかる療養施設は、老人保健施設、介護施設及び病院等の療養施設に有用であり、特に、４床室を個室化するのが容易である。
【図面の簡単な説明】
【００５１】
【図１】本発明に係る療養施設の実施例１を示す平面図である。
【図２】本発明に係る療養施設の実施例２を示す平面図である。
【図３】本発明に係る療養施設の実施例３を示す平面図である。
【符号の説明】
【００５２】
１  廊下
２，２０２，３０２  療養施設
３，２０３  トイレスペース又は私物庫
５  パブリックゾーン
６，２０６  プライベートゾーン
１０  廊下仕切壁
１１ａ、２１１ａ  左仕切壁
１１ｂ、２１１ｂ  右仕切壁
１２ａ、２１２ａ  左傾斜壁
１２ｂ，２１２ｂ  右傾斜壁
１３ａ  左第１外壁
１３ｂ  右第１外壁
１４ａ  左第２外壁
１４ｂ  右第２外壁
１５ａ  左第３外壁
１５ｂ  右第３外壁
１６ａ  左第４外壁
１６ｂ  右第４外壁
２１，２２ａ，２２ｂ，３２１  出入口
３１  第１の窓
３２  第２の窓
４２ａ  左第１ベッド
４２ｂ  右第１ベッド
４３ａ  左第２ベッド
４３ｂ  右第２ベッド
２５０  簡易仕切壁
３０５  エントランスゾーン
３５０  恒久仕切壁
３５１  エントランス恒久仕切壁
【図１】
2006161395.tif 000003
【図２】
2006161395.tif 000004
【図３】
2006161395.tif 000005